(57)【特許請求の範囲】
【請求項１】
光学的な経路に沿って光学的な放射を放出することに適合させられた源、及び蛍光性の本体を具備するホルダーを具備するランプにおいて、
前記ホルダーは、前記光学的な経路に配置されたものであると共に、
前記ランプの出力へ前記蛍光性の本体によって放出された光学的な放射の最も少ないときで一部分を伝達させることに適合させられたものであるところの収集するユニットは、提供されたものであると共に、
前記蛍光性の本体は、予め決定された方向において伸長させられたものである形状を具備すると共に、
前記蛍光性の本体は、前記蛍光性の本体が、前記蛍光性の本体の伸長させられた形状に沿って前記ホルダーによって囲まれたものであるように、前記伸長させられた形状に沿って前記ホルダーに埋め込まれたものである、
ランプ。
【請求項２】
請求項１に従ったランプにおいて、
前記ホルダーは、前記蛍光性の本体の前記伸長させられた形状の前記予め決定された方向に等しいものであるところの予め決定された方向において伸長させられたものである形状を具備する、
ランプ。
【請求項３】
請求項１及び２の一つに従ったランプにおいて、
前記蛍光性の本体の最も少ないときで一部分へと前記源から放出された光学的な放射を集束させることに適合させられたものであるところの集束させるユニットは、提供されたものである、
ランプ。
【請求項４】
請求項１から３までの一つに従ったランプであって、
さらに前記ホルダーに提供された熱スプレッダーを具備すると共に、
前記熱スプレッダーは、シンクへ前記蛍光性の本体から照射された熱を伝導させることに適合させられたものである、
ランプ。
【請求項５】
請求項１から４までの一つに従ったランプにおいて、
前記ホルダーは、≧８０％の、好ましくは≧９０％の、より多く好ましくは≧９４％の、光学的な伝達を具備する、ランプ。
【請求項６】
請求項１から５までの一つに従ったランプにおいて、
前記ホルダーは、≧１０Ｗ／ｍＫの、好ましくは≧４０Ｗ／ｍＫの、より多く好ましくは≧１００Ｗ／ｍＫの、最も多く好ましくは≧８００Ｗ／ｍＫの、熱的な伝導性を具備する、ランプ。
【請求項７】
請求項１から６までの一つに従ったランプにおいて、
前記ホルダーは、≧０．５ｍｍ及び／又は≦１０ｍｍの壁の厚さを具備する、ランプ。
【請求項８】
請求項１から７までの一つに従ったランプにおいて、
前記ホルダーの材料は、ダイヤモンド、サファイア、及び／又はセラミックの材料を具備する、ランプ。
【請求項９】
請求項１から８までの一つに従ったランプにおいて、
前記ホルダーによって具備された形状は、ロッド、ファイバー、及び／又はシリンダーに対応する、ランプ。
【請求項１０】
請求項９に従ったランプにおいて、
前記ロッドは、直径≧１ｍｍ及び／又は≦１０ｍｍを具備する、ランプ。
【請求項１１】
請求項９及び１０の一つに従ったランプにおいて、
前記ロッドは、長さ≧０．３ｍｍ及び／又は≦１００ｍｍを具備する、ランプ。
【請求項１２】
請求項９から１１までの一つに従ったランプにおいて、
前記ロッドは、薄い伸長させられたＬｕｍｉｒａｍｉｃの材料に対応する、ランプ。
【請求項１３】
請求項１から１２までの一つに従ったランプにおいて、
前記蛍光性の本体は、予め決定された直径及び前記予め決定された直径の≧３倍の、好ましくは前記予め決定された直径の≧５倍の、より多く好ましくは前記予め決定された直径の≧１０倍の、長さを具備するところの蛍光性の材料を具備する、
ランプ。
【請求項１４】
請求項１３に従ったランプにおいて、
前記蛍光性の本体によって具備された、前記蛍光性の材料は、Ｌｕｍｉｒａｍｉｃの材料を具備する、ランプ。
【発明の詳細な説明】
【技術分野】
【０００１】
発明は、レーザーの用途に適合させられたランプの分野に関係する。発明は、また、レーザーの用途に適合させられた方法の分野に関係する。発明は、好ましくは、高いパワーのレーザーの用途に及び／又はライティング［照明すること］の用途に適合させられたものである。
【背景技術】
【０００２】
ＵＳ７，１６５，８７１Ｂ２は、光を放出するための半導体の光を放出する素子［要素］、半導体の光を放出する素子から離れて提供された、蛍光性の材料、蛍光性の材料に半導体の光を放出する素子によって発生させられた光を集束させるために動作可能な第一の光学的な部材、及び、ランプの外側へ光学的な部材によって集束させられた光に基礎が置かれた蛍光性の材料から光を放出するために動作可能な、蛍光性の材料が提供されたものであるところの位置における光学的な中心を有する第二の光学的な部材を具備するところの光を発生させるためのランプを記載する。ランプは、乗り物におけるヘッドランプとして使用されたものであると共に、第二の光学的な部材は、第二の光学的な部材が、ヘッドランプの明るい領域及び暗い領域の間における境界を定義するところのカットラインの部分の最も少ないときで一つのものを形成するところのそのように、ランプの外側へ蛍光性の材料から光を放出する。これの文献は、さらに、レーザー、発光体、及び、自動車のフロントのライトの用途に使用された光を放出するモジュールへと統合された反射体の組み合わせを記載する。そのようなレーザーは、通常では、小さいスポットを起源とすると共に少量の発散を示すペンシルに整形されたビームを届ける。蛍光性の材料における非常に局所的な熱の散逸は、出現すると共に、このように、そのようなランプの明るさを限定する。
【０００３】
最後の十年間の間に、光を放出するダイオード［発光ダイオード］、短いもののためにはＬＥＤは、半導体のテクノロジーの進歩のおかげでライティングの用途においてより多く及びより多く［ますます］重要なものになることを有する［なってきたものである］。高いパワーのＬＥＤは、光学的な素子の小型化、寿命、効率、及び持続可能性を具備する新しいライティングのコンセプトへドアを開いたことを有する［開いてきたものである］。
【０００４】
レーザーは、ＬＥＤと比べて多量に［はるかに］より高い明るさを示す。数個のワット［数ワット］の範囲における出力のパワーを示す半導体のレーザーは、利用可能なものであると共に、このように高いルーメンの出力を可能とする。現行では、異なるものの潜在的なライティングの用途のためのレーザーでポンピングされた光学的なランプは、調査されたものである。それらが、自動車の、建築学的な屋内の、屋外の、及びアクセントの螺ライティングのためのスポットのようなそのような、専用化されたライティングの用途についての高い潜在的なものを示すことは、それは期待されたものである。
【０００５】
しかしながら、そこにあるものは、それらの高い明るさを具備すると共により上に述べられた熱的な論点の問題を解決することとの連結において、可能性のあるものとしての高いものと同程度のもののように［可能な限り高いものに］それらの光学的な性能を保つレーザーの強い品質を利用することの必要性である。
【先行技術文献】
【特許文献】
【０００６】
【特許文献１】米国特許第７，１６５，８７１号明細書
【発明の概要】
【発明が解決しようとする課題】
【０００７】
蛍光性の本体における熱の累積を軽減すること及びこのように蛍光性の本体を具備するところの透明な本体を通じた熱の輸送を改善することの注文においてより上に述べられた熱的な論点の問題を解決することとの連結においてレーザーの用途における光学的な性能を改善するための可能性を提供することは、それは発明の目的である。
【課題を解決するための手段】
【０００８】
これの目的は、独立なクレームの主たる事項によって達成されたものである。好適にされた実施形態は、サブクレームに定義されたものである。
【０００９】
発明の第一の態様に従ったもので、これの目的は、光学的な経路に沿って光学的な放射を放出することに適合させられた源及び蛍光性の本体を具備するホルダーを具備するランプによって達成されたものであるが、それにおいて、ホルダーは、光学的な経路において配置されたものであると共に、ランプの出力へ蛍光性の本体によって放出された光学的な放射の最も少ないときで一部分を伝達する［透過させる］ことに適合させられたものであるところの収集するユニットは、提供されたものであると共に、蛍光性の本体は、予め決定された方向に伸長させられた［細長い］ものである形状を具備する。
【００１０】
透明な本体が、また、後に続くものにおけるホルダーと呼ばれたものであることが、それは留意されたことである。ホルダーを通じた熱の輸送を改善することが、それが可能性のあるものになることは、それは発明の重要なアイデアである。
【００１１】
発明の好適にされた実施形態に従ったもので、ホルダーは、蛍光性の本体に付けられたもの又はそれに対して近くに及びこのようにホットスポットに対して近くに配置されたものである。ホルダー及び蛍光性の本体の配置は、好ましくは、ファイバーに対応する。好ましくは、ホルダーは、蛍光性の本体によって具備された伸長させられた形状の予め決定された方向に等しいものであるところの予め決定された方向に伸長させられたものであるところの形状を具備する。好ましくは、収集するユニットは、ホルダーに配置された光学的な中心を具備する。好ましくは、蛍光性の本体の最も少ないときで一部分へと源から放出された光学的な放射を集束させることに適合させられたものであるところの集束させるユニットは、提供されたものである。より多く好ましくは、源は、各々のものが組み合わせられたものであるところの光学的な放射を放出する最も少ないときで二つの源に対応する。
【００１２】
発明の別の好適にされた実施形態に従ったもので、ランプは、さらに、ホルダーに提供された熱スプレッダーを具備するが、それにおいて、熱スプレッダーは、シンクへ蛍光性の本体から照射された熱を伝導することに適合させられたものである。好ましくは、ホルダーは、≧８０％の、より多く好ましくは≧９０％の、最も多く好ましくは≧９５％の、伝達［透過］、好ましくは光学的な伝達、を具備する。好ましくは、ホルダーは、≧１０Ｗ／ｍＫの、より多く好ましくは≧４０Ｗ／ｍＫの、最も好ましくは≧１００Ｗ／ｍＫの、熱的な伝導性を具備する。発明の別の好適にされた実施形態に従ったもので、ホルダーは、≧８００Ｗ／ｍＫの伝導性を具備する。好ましくは、ホルダーは、≧０．５ｍｍ及び／又は≦１０ｍｍの壁の厚さを具備する。
【００１３】
発明のなおも別の好適にされた実施形態に従ったもので、ホルダーの材料は、ダイヤモンド、サファイア、セラミック、及び／又は、セラミックの材料の最も少ないときで一部分を具備する。好ましくは、ホルダーによって具備された形状は、ロッド、ファイバー、ワイヤー、及び／又は、シリンダーに対応する。球形の形状、非球形の形状、フレネル（Ｆｒｅｓｎｅｌ）の形状、回折の形状、例．周期的な構造、又は非周期的な構造化された形状と同様の他の形状。また、これらの形状組み合わせは、可能性のあるものである。
【００１４】
好ましくは、ホルダーは、収集するユニット内における全体のスペースを具備する。好ましくは、ロッドは、直径≧１ｍｍ及び／又は≦１０ｍｍを具備する。好ましくは、ロッドは、長さ≧０．３ｍｍ及び／又は≦１００ｍｍを具備する。好ましくは、ロッドは、薄い伸長させられたＬｕｍｉｒａｍｉｃの材料に対応するが、“Ｌｕｍｉｒａｍｉｃ”は、出願人の発光体のテクニックを記載すると共にセラミック及び発光体の材料の組み合わせに関係付けられたものである。Ｌｕｍｉｒａｍｉｃの材料は、好ましくは、透明な熱スプレッダーによってカプセル化されたものである。
【００１５】
発明のなおも別の好適にされた実施形態に従ったもので、蛍光性の本体は、予め決定された直径及び予め決定された直径の≧３倍、より多く好ましくは予め決定された直径の≧５倍、最も多く好ましくは予め決定された直径の≧１０倍、の長さを具備するところの蛍光性の材料を具備する。好ましくは、蛍光性の本体によって具備された、蛍光性の材料は、Ｌｕｍｉｒａｍｉｃの材料を具備する。
【００１６】
発明のなおも別の好適にされた実施形態に従ったもので、源は、蛍光性の本体によって具備された蛍光性の材料の予め定義された長さにわたって蛍光性の放出を励起することに適合させられたものである。これの方式において、異なるもののビームの形状は、実現されたものであることができる。源は、好ましくは、光学的な経路に沿って放出された光学的な放射を調整することに適合させられたものである。好ましくは、源は、光を放出するダイオード及びレーザーの最も少ないときで一つのものを具備する。光を放出するダイオードは、好ましくは、無機の材料及び／又は有機の材料を具備する。レーザーは、好ましくは、半導体のレーザー及び固体状態のレーザー［固体レーザー］の最も少ないときで一つのもの、より多く好ましくはファイバーレーザー、を具備する。
【００１７】
発明の第二の態様に従ったもので、これの目的は、ステップ、ａ）光学的な経路に沿って光学的な放射を放出すること、ｂ）発明の第一の態様に従ったもののランプの出力へ、光学的な経路に提供されたものである、蛍光性の本体によって放出された光学的な放射の最も少ないときで一部分を伝達する［透過させる］こと、を具備する方法によって達成されたものである。方法は、好ましくは、デバイスの出力における高いパワーを発生させることに適合させられたものである。
【００１８】
発明が、半導体の光を放出する素子、好ましくはＬＥＤ、又はレーザー、のようなそのような、源を具備する、光を発生させることに適合させられたランプを提供すると共に、蛍光性の本体は、透明な本体に実質的に埋め込まれたものであると共に、ランプが、高い光学的な性能を示すことのそのようなものに、源から離れた提供されたものであることを留意することは、それは価値のあることである。集束させるユニットは、好ましくは、蛍光性の本体へと源によって発生させられた光又は光学的な放射を集束させることに適合させられたものである。発明の別の好適にされた実施形態に従ったもので、集束させるユニットは、ホルダーを通じて源によって発生させられた光又は光学的な放射を集束させることに適合させられたものである。これの配置が、低い熱的な接触の抵抗に対応する良好な熱的な界面を具備することのそのようなものに、ホルダーが、蛍光性の本体へ付けられたものであることは、それは好都合なことである。ホルダー及び蛍光性の本体の間における付着は、好ましくは、溶融するガラス、セラミックの接着剤、によって、より多く好ましくは透明な圧力のセラミック又はケイ素の熱的な界面の材料によって、達成されたものである。蛍光性の材料は、好ましくは、効率的な及び高い光の転換、部屋の温度［室温］でｋ＞６Ｗ／ｍＫのようなそのような、高い熱的な伝導性、高い熱的な安定性、及び／又は高度に散乱する可視の光によって特徴付けられた、Ｌｕｍｉｒａｍｉｃの材料を具備する。発明の好適にされた実施形態に従ったもので、蛍光性の本体において散逸させられたレーザーのパワーのフラクションが、値≧３００ｍＷ、より多く好ましくは≧８００ｍＷ、及び最も多く好ましくは≧１．３Ｗ、を具備することは、それは留意されたことである。
【００１９】
単一のレーザーポンプビームでの及び／又は多重のものでの励起の際に、蛍光性の材料は、好ましくは蛍光性の本体の伸長の方向に対して垂直な平面における、好ましくは、励起の波長と比べて異なるものの波長における均質な径方向の放出によって特徴付けられたものである。好ましくは、透明な本体は、実例のためには熱パイプを介して、熱伝導材料を介して、又は熱スプレッダーを介して、熱シンクへ熱的にリンクされたものである。熱シンクは、好ましくは、また、後に続くものにおける反射体と呼ばれた、収集するユニットの反対の側に配置されたものである。最も多く好ましくは、反射体のハウジングは、熱シンクとして使用されたものである。反射体は、好ましくは、パラボリックな［放物線又は面状の］反射体又はパラボリックなミラーである。
【００２０】
源によって放出された光学的な放射で蛍光性の本体をスキャンすることによって又は動的にスキャン・エリア及び／又はランプスポットの焦点を調節することによって、動的な調整可能な光のスポットは、達成されたものであることができることを留意することは、それは価値のあることである。発明の別の好適にされた実施形態に従ったもので、集束させるユニットは、好ましくは、源によって発生させられた光を曲げることに及び／又はスキャンすることに適合させられたものである。好ましくは、ランプは、蛍光性の材料の様々な部分又は長さにわたる蛍光性の放出を励起するために調節可能なものである。それによって、異なるもののビームの形状は、実現されたものであることができる。最も多く好ましくは、フィラメントに整形されたＬｕｍｉｒａｍｉｃのエミッターは、複数のセグメントを具備するが、それにおいて、各々のセグメントは、約３００μｍから１ｍｍまでの長さを具備する。他の単語では［言い換えれば］、セグメント化された発光性の本体及び／又はスキャニングレーザービームは、好ましくは、可変のビームの幅を発生させることに適合させられたランプを実現するために使用されたものである。従って、相対的に単純な機械的なセットアップを使用する一方で、異なるものの用途に適合させられた異なるもののビームの形状は、実現可能なものである。
【００２１】
パラボリックな形状を、ベジェ（Ｂｅｚｉｅｒ）タイプの形状を、又はいずれの他の形状をも、具備する反射体の光学的な軸［光軸］に発生させられたセグメント化されたＬｕｍｉｒａｍｉｃのエミッターは、都合良くは、使用されたものであることができる。フィラメントに整形されたＬｕｍｉｒａｍｉｃのエミッターは、好ましくは、複数のセグメントを具備するが、複数のセグメントは、好ましくは、複数のセグメントの間における光学的なクロストークを予防することに適合させられた、チタンの二酸化物のようなそのような、高度に散乱させる材料によって分離されたものである。これらのセグメントは、溶融するガラス、セラミックの接着剤、又は他のテクニックによって接続されたものであることができる。これの方式では、レーザーの高いパワーの密度によって損傷することは、相殺されたものであることができる。青色の又はＵＶのポンプレーザーによって可視の光を放出することに適合させられたものであるところの複数のセグメントの各々のセグメントは、好ましくは、個々に励起されたものである。発明の別の好適にされた実施形態に従ったもので、白色の光は、放出されたものである。好ましくは、レーザービームは、実例のためには、四つの異なるもののビームのサイズに至るところのＬｕｍｉｒａｍｉｃのシリンダーの四つの別個の部分を照明する。好ましくは、Ｌｕｍｉｒａｍｉｃのシリンダーの合計の長さ及び直径は、それぞれ、４ｍｍ及び０．２ｍｍに対応する。発明のなおも別の好適にされた実施形態に従ったもので、スキャニングレーザーは、それぞれ、スキャニングミラー又はステッピングモーターを具備する。
【００２２】
発明のコンセプトは、自動車の用途において使用されたものであることに、特にフロントのライトに、特に適合させられたものであるが、そこでは、高い及び低いビームは、それぞれ、要求されたものである。それの点に関して、特に旋回するビーム及び左又は右にターンするものの事例における“サイド・ルッキング”の光は、また、成し遂げられたものであることができる。
【図面の簡単な説明】
【００２３】
【図１】図１は、発明の第一の好適にされた実施形態に従ったもののレーザーでポンピングされたランプを示す。
【図２】図２は、発明の第二の好適にされた実施形態に従ったもの二つのポンプレーザーを具備するランプを示す。
【図３】図３は、概略的に発明の第三の好適にされた実施形態に従ったものの伸長させられたフィラメントを図解する。
【図４】図４は、発明の第四の好適にされた実施形態に従ったものの蛍光性の本体における等方性の発光体の密度及びまた徐々に増加する発光体の密度を示す。
【図５】図５は、発明の第五の好適にされた実施形態に従ったものの透明なホルダーへと蛍光性の本体をカプセル化させることの異なるものの可能性を示す。
【図６】図６は、本質的に、発明の第六の好適にされた実施形態に従ったものの蛍光性の本体及び収集するユニットの間における全体の空間をぎっしり充填するところの透明なホルダーを具備するランプを示す。
【図７】図７は、発明の第七の好適にされた実施形態に従ったものの小さいレーザースポットのモードを具備するレーザーにポンピングされたランプを示す。
【図８】図８は、発明の第八の好適にされた実施形態に従ったものの広いレーザースポットのモードを具備するレーザーでポンピングされたランプを示す。
【図９】図９は、発明の第九の好適にされた実施形態に従ったものの二つのポンプレーザーを具備するランプを示す。
【図１０】図１０は、発明の第十の好適にされた実施形態に従ったもののパラボリックに整形された反射体（左）の光学的な軸に配置されたセグメント化されたＬｕｍｉｒａｍｉｃのエミッター（右）を示す。
【発明を実施するための形態】
【００２４】
発明のこれらの及び他の態様は、ここより後に記載された実施形態から明白なものであると共にそれらを参照して解明されたものであることになる。
【００２５】
図面において、
図１は、発明の第一の好適にされた実施形態に従ったもののレーザーでポンピングされたランプを示す、
図２は、発明の第二の好適にされた実施形態に従ったもの二つのポンプレーザーを具備するランプを示す、
図３は、概略的に発明の第三の好適にされた実施形態に従ったものの伸長させられたフィラメントを図解する、
図４は、発明の第四の好適にされた実施形態に従ったものの蛍光性の本体における等方性の発光体の密度及びまた徐々に増加する発光体の密度を示す、
図５は、発明の第五の好適にされた実施形態に従ったものの透明なホルダーへと蛍光性の本体をカプセル化させることの異なるものの可能性を示す、
図６は、本質的に、発明の第六の好適にされた実施形態に従ったものの蛍光性の本体及び収集するユニットの間における全体の空間をぎっしり充填するところの透明なホルダーを具備するランプを示す、
図７は、発明の第七の好適にされた実施形態に従ったものの小さいレーザースポットのモードを具備するレーザーにポンピングされたランプを示す、
図８は、発明の第八の好適にされた実施形態に従ったものの広いレーザースポットのモードを具備するレーザーでポンピングされたランプを示す、
図９は、発明の第九の好適にされた実施形態に従ったものの二つのポンプレーザーを具備するランプを示す、及び、
図１０は、発明の第十の好適にされた実施形態に従ったもののパラボリックに整形された反射体（左）の光学的な軸に配置されたセグメント化されたＬｕｍｉｒａｍｉｃのエミッター（右）を示す。
【００２６】
図１は、概略的に、発明の第一の好適にされた実施形態に従ったもののレーザーでポンピングされたランプ１を図解する。ランプ１は、放射、即ち、光２、を発生させると共に、源３を具備する。蛍光性の本体４は、実質的に、ホルダー５に埋め込まれたものであるが、それにおいて、ホルダー５は、透明な本体に対応すると共に、源３から離れて提供されたものである。源３は、光学的な経路に沿って光学的な放射を放出することに適合させられたものであると共に、ホルダー５は、蛍光性の本体４を具備するが、それにおいて、ホルダー５は、光学的な経路に配置されたものである。ランプ１の出力へ蛍光性の本体４によって放出された光学的な放射の最も少ないときで一部分を伝達する［透過させる］ことに適合させられたものであるところの収集するユニット８は、提供されたものである。発明の第一の好適にされた実施形態に従ったもので、収集するユニット８は、パラボリックな反射体に対応する。図１からみてとられたものであることができるように、蛍光性の本体４は、予め決定された方向に伸長させられたものである形状を具備する。発明の第一の好適にされた実施形態に従ったもので、蛍光性の本体４へと源３から放出された光学的な放射７を集束させることに適合させられたものであるところの集束させるユニット６は、提供されたものである。発明の別の好適にされた実施形態に従ったもので、集束させるユニット６は、ホルダー５を通じて放射７を集束させることに適合させられたものである。さらには、ホルダー５は、蛍光性の本体４の伸長させられた形状のものと同じ予め決定された方向へと伸長させられたものである形状を具備する。収集するユニット８は、ホルダー５に配置された光学的な中心を具備する。発明の第一の好適にされた実施形態に従ったもので、収集するユニット８は、蛍光性の本体４が提供されたものであるところの位置における光学的な中心を示す。収集するユニット８は、蛍光性の本体４から来ると共にランプ１の出力へホルダー５を通じて照射する放射２を放出するために動作可能なものである。
【００２７】
図２は、概略的に、発明の第二の好適にされた実施形態に従ったものの二つのポンプレーザーを具備するランプ１を図解する。ホルダー５は、８０％と比べてより多いものの光学的な伝達を示す。さらには、ホルダー５は、ｋ＞１０Ｗ／ｍＫの高い熱的な伝導性によって特徴付けられたものである。発明の第二の好適にされた実施形態に従ったもので、ホルダー５は、良好な熱的な界面を具備する蛍光性の本体４に付けられたものである、他の単語では、蛍光性の本体４及びホルダー５の間における付着は、低い熱的な接触の抵抗を具備する。これの配置は、溶融するガラス、セラミックの接着剤、透明な圧力のセラミック、又はケイ素の熱的な界面の材料によって得ることが可能なものである。発明の別の好適にされた実施形態に従ったもので、蛍光性の材料は、透明なホルダー５の内側で焼結させられたものである。他の単語では、ホルダー５は、それが、熱スプレッダーとして作用するので、良好な熱的な伝導体である。
【００２８】
図３は、発明の第三の好適にされた実施形態に従ったものの蛍光性の本体４を具備するホルダー５を示す。ホルダー５の材料は、ダイヤモンドを具備する。蛍光性の本体４は、Ｌｕｍｉｒａｍｉｃのシリンダーに対応する。発明の別の好適にされた実施形態に従ったもので、好ましくはライティングの用途において、レーザーの放射は、特定の用途に要求された分布へと再度整形されたものであることを有する［再度整形されたものである必要がある］。発明の別の好適にされた実施形態に従ったもので、好ましくは自動車のフロントライトの用途において、ランプ１の高い明るさを利用するところの保つ［長持ちさせる］システムを実現することは、それは有益なものである。
【００２９】
図３は、発明の第三の好適にされた実施形態に従ったものの伸長させられたフィラメントを図解する。図３は、また、熱シンクへ、フィラメントからの、特定のものにおいてはホルダー５からの、熱を伝導させるために提供されたものであると共にそれに適合させられたものであるところの熱スプレッダー９への接続を示す。他の単語では、ホルダー５は、熱スプレッダー９を介して熱シンクへ熱的にリンクされたものであるが、それにおいて、熱スプレッダー９は、収集するユニット８の反対の側に配置されたものであるところのものである。発明の別の好適にされた実施形態に従ったもので、収集するユニット８のハウジングは、熱シンクとして使用されたものである。
【００３０】
図４は、蛍光性の本体４における等方性の発光体の密度、及びまた、発明の第四の好適にされた実施形態に従ったものの蛍光性の本体４における徐々に増加する発光体の密度、を図解する。発明の第四の好適にされた実施形態に従ったもので、蛍光性の本体４は、材料の内側での実質的な光を散乱させることに帰着する構成成分を備えた材料を具備する。単一のレーザーのポンプビームで又は多重のものでの励起の際に、蛍光性の材料は、さらに、励起の波長とは異なるものの波長での蛍光性の材料の伸長の方向に対して垂直な平面における実質的に均質な径方向の放出によって特徴付けられたものである。発明の第四の好適にされた実施形態に従ったもので、蛍光性の本体４へ散逸させられたレーザーのパワーのフラクションは、３００ｍＷと比べてより大きいものである。図４の第一のピクチャーに示されたように、蛍光性の本体における発光体の密度は、等方的に分布させられたものである。図４の第二のピクチャーは、蛍光性の本体４における発光体の密度が、蛍光性の本体４の伸長の方向において達成された密度における勾配と共に分布させられたものであることを示す。そのような構成は、源３が、下部の側からカップルにされた［結合させられた］ものであるとすれば、非常に適切なものである。勾配は、好ましくは、発生させられた蛍光性の放射の強度が、実質的に線形な関数に従うところの方式で実現されたものである。発明の別の好適にされた実施形態に従ったもので、発生させられた蛍光性の放射の強度は、一定のものである。発明のなおも別の好適にされた実施形態に従ったもので、そこにあるものは、源３から放出されたレーザービームの方向において増加するところの、提供された蛍光性の材料の散乱させることにおける勾配である。これは、徐々に材料におけるチタンの二酸化物の粒子の濃度を増加させることによって実現されたものである。図４の第三のピクチャーは、蛍光性の本体４のより外側の縁で最も高い密度を具備する蛍光性の材料の径方向の方向において達成された密度における勾配を示す。そのような構成は、レーザーが、透明な本体５を通じた外側から蛍光性の本体４へと集束させられたものであるとすれば、高度に適切なものである。発明の第四の好適にされた実施形態に従ったもので、ホルダー５は、良好な熱の輸送を許容するホットスポットに対して非常に近いものである。図４の第四のピクチャーは、蛍光性の本体４の中心における最も高い密度を具備する蛍光性の材料の径方向の方向において達成された密度における勾配を示す。
【００３１】
発明の他の好適にされた実施形態に従ったもので、二色性のコーティングは、提供されたものである。二色性のコーティングは、ポンプレーザーの方向において逆戻りに通過するために励起の波長とは異なるものの波長における光を予防するために蛍光性の本体４の一つの側に提供されたものである。レーザーの光は、他方の手で、図４に示されたように蛍光性の本体４のより低い側に提供されたものであるところの二色性のコーティングを通過する。これは、レーザービームの入口の側である。二色性のコーティングの使用は、一般に、発明のいずれの他の実施形態とも組み合わせられたものであることができる。
【００３２】
図５は、発明の第五の好適にされた実施形態に従ったもののホルダー５へと蛍光性の本体４をカプセル化することの異なるものの例を示す。
【００３３】
図６は、透明なホルダー５が、発明の第六の好適にされた実施形態に従ったもので本質的にぎっしり蛍光性の本体４及び収集するユニット８の間における空間を充填することを示す。ホルダー５の形状は、伸長させられたものではないものである。収集するユニット８に配置された励起の波長とは異なるものの波長における光又は放射の反射は、発明の他の好適にされた実施形態に従ったもので、合計の内部の屈折［内部全屈折］、短いもののためにはＴＩＲ、によって、又は、反射体によって、又は、二色性のコーティングによって、実現されたものである。より後のものは、好ましくは、伝達させられたものであることに進むものである［透過させられることになる］ところの９００ｎｍより上のＩＲの放射によって可視の光を反射させることが可能なものである。代わりに、反射体及びロッドの後ろにおける余分のレンズは、また、可能性のあるものである。発明の第六の好適にされた実施形態に従ったもので、収集するユニット８は、放射の最も少ないときで一部分を収集することに適合させられたパラボリックの反射体に対応すると共に、予め決定された方向へと放射の部分を反射させる。
【００３４】
図７、図８、及び図９は、発明の数個の好適にされた実施形態を示す。図７は、ランプ１の第一の予め定義されたビームの形状に帰着する小さいレーザースポットのモードで動作するレーザーでポンピングされたランプ１を示す。発明の第七の好適にされた実施形態に従ったもので、ビームの形状は、狭いビームに対応する。図８は、ランプ１の第二の予め定義されたビームの形状に帰着する広いレーザースポットのモードで動作するレーザーでポンピングされたランプ１を図解する。発明の第八の好適にされた実施形態に従ったもので、ビームの形状は、ウォッシュビームに対応する。図９は、発明の第九の好適にされた実施形態に従ったものの二つのポンプレーザー３、３ｂを具備するランプ１を示す。
【００３５】
図１０の右の部分は、発明の第十の好適にされた実施形態に従ったもののパラボリックに整形された反射体の光学的な軸に配置されたセグメント化されたＬｕｍｉｒａｍｉｃのエミッターを図解する。発明の他の好適にされた実施形態に従ったもので、反射体の形状は、ベジェ（Ｂｅｚｉｅｒ）タイプの形状を具備する。フィラメントに整形されたＬｕｍｉｒａｍｉｃのエミッターは、複数のセグメントを具備するが、各々のセグメントは、約３００μｍの長さを具備する。複数のセグメントは、複数のセグメントの間における光学的なクロストークを予防するために、チタンの二酸化物のようなそのような、高度に散乱させる材料によって分離されたものである。複数のセグメントの各々のセグメントは、青色のポンプレーザーによって可視の光を放出するために個々に励起されたものである。発明の他の好適にされた実施形態に従ったもので、白色の光は、放出されたものである。パラボリックに整形された反射体の幾何学については、図１０の左の部分に図解されたように、ビームの形状の計算は、行われたものである。計算は、セグメント化されたＬｕｍｉｒａｍｉｃのエミッターが、これの反射体の光学的な軸に位置決めされたものであるところの及び異なるもののセグメントが、放出するものであるところの仮定に基礎が置かれたものである。図１０における右の部分は、レーザービームが、四つの異なるもののビームのサイズに至るところのＬｕｍｉｒａｍｉｃのシリンダーの四つの別個の部分を照明するところの事例を示す。Ｌｕｍｉｒａｍｉｃのシリンダーの合計の長さ及び直径は、それぞれ、４ｍｍ及び０．２ｍｍに対応する。図１０における左の部分は、それぞれ、スキャニングミラー又はステッピングモーターを具備するスキャニングレーザーについての事例を示す。回転するディスクにおけるレンズ、即ち、偏心させられたレンズ、は、また、使用されたものであることができる。発明の第十の好適にされた実施形態に従ったもので、Ｌｕｍｉｒａｍｉｃのシリンダーの源を備えた反射体は、パラボリックの形状を示す。
【００３６】
均質な幅広いビームが、発明のランプによって実現可能なものであることは、それは言うこと無しに進む［言うまでもない］ことである。レーザービームが、ビームのプロファイルにおけるわずかな変化に帰着するＬｕｍｉｒａｍｉｃのフィラメントにわたってスキャンされたものである又は広げられたものであることは、それはまた可能性のあることである。
【００３７】
発明が、図面及び先立つ記載において詳細に図解された及び記載されたものであることを有する［図解されてきた及び記載されてきたものである］一方で、そのような図解及び記載は、例証的なもの又は例示的なもの及び制限的なものではないものと考慮されたものであるためのものである、発明は、開示された実施形態に限定されたものではないものである。
【００３８】
開示された実施形態に対する他のバリエーションは、図面、開示、及び添付された請求項の研究から、請求された発明を実践する際にその技術において熟練させられたそれらの者によって理解されたものであると共に果たされたものであることができる。請求項において、単語“を具備する”は、他の要素又はステップを排除するものではないと共に、不定の冠詞“ある”は、複数を排除するものではない。ある一定の尺度が、相互に異なるものの従属の請求項において具陳されたものであるということの単なる事実は、これらの尺度の組み合わせが、利点に対して［有利に］使用されたものであることができないことを指し示すものではない。請求項におけるいずれの参照符号も、範囲を限定するものとして解されたものであるべきものではない。
［付記］
付記（１）：
光学的な経路に沿って光学的な放射を放出することに適合させられた源（３）、及び蛍光性の本体（４）を具備するホルダー（５）を具備するランプにおいて、
前記ホルダー（５）は、前記光学的な経路に配置されたものであると共に、
前記ランプ（１）の出力へ前記蛍光性の本体（４）によって放出された光学的な放射の最も少ないときで一部分を伝達させることに適合させられたものであるところの収集するユニット（８）は、提供されたものであると共に、
前記蛍光性の本体（４）は、予め決定された方向において伸長させられたものである形状を具備する、
ランプ。
付記（２）：
付記（１）に従ったランプにおいて、
前記ホルダー（５）は、前記蛍光性の本体（４）の前記伸長させられた形状の前記予め決定された方向に等しいものであるところの予め決定された方向において伸長させられたものである形状を具備する、
ランプ。
付記（３）：
先行する付記の一つに従ったランプにおいて、
前記蛍光性の本体（４）の最も少ないときで一部分へと前記源（３）から放出された光学的な放射を集束させることに適合させられたものであるところの集束させるユニット（６）は、提供されたものである、
ランプ。
付記（４）：
先行する付記の一つに従ったランプであって、
さらに前記ホルダーに提供された熱スプレッダー（９）を具備すると共に、
前記熱スプレッダー（９）は、シンクへ前記蛍光性の本体（４）から照射された熱を伝導させることに適合させられたものである、
ランプ。
付記（５）：
先行する付記の一つに従ったランプにおいて、
前記ホルダー（５）は、≧８０％の、好ましくは≧９０％の、より多く好ましくは≧９４％の、光学的な伝達を具備する、ランプ。
付記（６）：
先行する付記の一つに従ったランプにおいて、
前記ホルダー（５）は、≧１０Ｗ／ｍＫの、好ましくは≧４０Ｗ／ｍＫの、より多く好ましくは≧１００Ｗ／ｍＫの、最も多く好ましくは≧８００Ｗ／ｍＫの、熱的な伝導性を具備する、ランプ。
付記（７）：
先行する付記の一つに従ったランプにおいて、
前記ホルダー（５）は、≧０．５ｍｍ及び／又は≦１０ｍｍの壁の厚さを具備する、ランプ。
付記（８）：
先行する付記の一つに従ったランプにおいて、
前記ホルダー（５）の材料は、ダイヤモンド、サファイア、及び／又はセラミックの材料を具備する、ランプ。
付記（９）：
先行する付記の一つに従ったランプにおいて、
前記ホルダー（５）によって具備された形状は、ロッド、ファイバー、及び／又はシリンダーに対応する、ランプ。
付記（１０）：
付記（９）に従ったランプにおいて、
前記ロッドは、直径≧１ｍｍ及び／又は≦１０ｍｍを具備する、ランプ。
付記（１１）：
付記（９）及び（１０）の一つに従ったランプにおいて、
前記ロッドは、長さ≧０．３ｍｍ及び／又は≦１００ｍｍを具備する、ランプ。
付記（１２）：
付記（９）から（１１）までの一つに従ったランプにおいて、
前記ロッドは、薄い伸長させられたＬｕｍｉｒａｍｉｃの材料に対応する、ランプ。
付記（１３）：
先行する付記の一つに従ったランプにおいて、
前記蛍光性の本体（４）は、予め決定された直径及び前記予め決定された直径の≧３倍の、好ましくは前記予め決定された直径の≧５倍の、より多く好ましくは前記予め決定された直径の≧１０倍の、長さを具備するところの蛍光性の材料を具備する、
ランプ。
付記（１４）：
付記（１３）に従ったランプにおいて、
前記蛍光性の本体（４）によって具備された、前記蛍光性の材料は、Ｌｕｍｉｒａｍｉｃの材料を具備する、ランプ。
付記（１５）：
ａ）光学的な経路に沿って光学的な放射を放出すること、及び、
ｂ）付記（１）から（１４）までの一つに従ったランプの出力へ、前記光学的な経路に提供されたものである、蛍光性の本体（４）によって放出された光学的な放射の最も少ないときで一部分を伝達させること、
のステップを具備する方法。
【図１】
0005624118.tif 000002
【図２】
0005624118.tif 000003
【図３】
0005624118.tif 000004
【図４】
0005624118.tif 000005
【図５】
0005624118.tif 000006
【図６】
0005624118.tif 000007
【図７】
0005624118.tif 000008
【図８】
0005624118.tif 000009
【図９】
0005624118.tif 000010
【図１０】
0005624118.tif 000011